【事件の表示】
　特許第３２３７０７９号「パチンコ機」の請求項１に係る特許に対する特許異議の申立てについて、次のとおり決定する。
【結　論】
　訂正を認める。
　特許第３２３７０７９号の請求項１に係る特許を取り消す。
【理　由】
第１．手続の経緯
　本件特許第３２３７０７９号の請求項１に係る発明についての特許出願は、平成３年４月９日に出願された特願平３−１６１９６８号の一部を平成９年１１月１９日に新たな特許出願とした特願平９−３３３７０３号であって、平成１３年１０月５日に設定登録がなされ、その後、関由美より特許異議の申立てがなされ、平成１４年１０月１０日付けで取消理由通知がなされ、その指定期間内である平成１４年１２月２０日に訂正請求がなされ、平成１５年１月２３日付けで異議申立人より上申書が提出されたものである。
　　　　
第２．訂正の適否についての判断
１．訂正の内容
　特許請求の範囲の請求項１の記載を、
　「パチンコ機本体から遊技板を取外し自由にしてなるパチンコ機にあって、前記遊技板の背面に遊技制御回路を備え、該遊技制御回路と本体制御回路とを前枠背面側の外部中継端子基板を介して接続する一方、該外部中継端子基板を介して前記遊技制御回路及び本体制御回路と管理コンピュータとを接続してなるパチンコ機。」と訂正する。
　   
２．訂正の目的の適否、新規事項の有無及び拡張変更の存否
　上記訂正は、特許明細書の特許請求の範囲に記載されていた「遊技制御回路」について、「遊技板の背面に遊技制御回路を備え」と具体化限定化することで特許請求の範囲の減縮を目的とするとともに、「コンヒュータ」を「コンピュータ」として誤記の訂正を目的とするものであり、いずれも特許明細書に記載された事項の範囲内において訂正するものであるから新規事項の追加に該当せず、また、実質上特許請求の範囲を拡張し又は変更するものでもない。
　　　
３．むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
第３．特許異議申立てについての判断
１．取消理由の概要 
　当審が平成１４年１０月１０日付けで通知した取消理由は、本件請求項１に係る発明は、刊行物である下記の第１引用例乃至第８引用例に記載された発明に基づいて当業者が容易に発明をすることができたものであるから、特許法第２９条第２項の規定により特許を受けることができないものであり、本件特許は取り消されるべきというものである。
　第１引用例．特開平２−２０３８８３号公報
　第２引用例．特開昭６２−２９９２８３号公報
　第３引用例．特開平１−１７０４８７号公報
　第４引用例．特開昭６３−１９１７５号公報
　第５引用例．実願平１−７５９６６号（実開平３−１５５９３号）
　　　　　　　のマイクロフィルム
　第６引用例．特開昭６３−１６８１９４号公報
　第７引用例．特開昭６３−２８３６７０号公報
　第８引用例．特開昭６４−５５８０号公報
　　
２．本件発明
　本件請求項１に係る発明（以下、「本件発明」という。)は、訂正が認められるから、本件の訂正明細書及び図面の記載からみて、その特許請求の範囲の請求項１に記載された事項(前記第２．１．）により特定されるものである。
　　　　
３．引用例に記載の発明
　（１）第２引用例〔特開昭６２−２９９２８３号公報〕に記載の発明
　i．第２引用例には、以下の事項が記載されている。
　「さらに、裏機構盤１には、上記賞品球排出装置２０やオーバフロー検出器９２からの検出信号による打球発射停止、各種表示装置の駆動などパチンコ遊技機全体の電気的な制御を行なうための制御装置２００及び遊技盤前面の各種変動入賞装置や可変表示型補助遊技装置等に内蔵された検出器からの信号に基づいてそれらの遊技動作を制御する遊技内容制御装置２１０が設けられている。パチンコ遊技機の分野では、遊技内容の単調化による遊技客離れを防止するため、遊技内容や意匠的な構成の異なる新しい遊技盤と交換することが行なわれるが、その場合にも遊技盤を除くパチンコ遊技機本体や裏機構盤はほとんど同一である。しかるに、そのような不変部分についてもその寿命に達する以前に遊技盤と一緒に交換してしまうことは非常に不経済である。上記実施例では、遊技盤の交換に際して遊技盤とその遊技内容制御装置２１０のみ交換すれば良いような構成にされている。つまり、遊技内容制御装置２１０は着脱可能な遊技盤の裏面に固定されており、賞品球排出装置２０や入賞球処理装置４０及びそれらの制御装置２００は、予備球貯留タンク２や各種誘導樋１０〜１７とともに遊技機本体と一体の裏機構盤１に固定されている。従って、遊技盤を交換する場合にも、本体及び裏機構盤の大部分はそのまま残し、継続して使用することができるようになり非常に経済的である。」（第３頁左下欄第１６行〜第４頁左上欄第２行）、
　「次に、上記賞品球排出装置２０を制御して所定数の賞品球の排出や打球発射装置１０３等の制御を行う制御装置２００の一実施例について、第９図を用いて説明する。この実施例では、賞品球排出装置２０等の制御をＣＰＵ（マイクロコンピュータ）２００′を用いて行なうようになっている。ＣＰＵ２００′には、前記実施例における賞球数設定器８１，８２や記憶排出スイッチ８３、球抜きスイッチ８４、セーフセンサ９１、オーバフロー検出器９２、球不足検出器９３が入力される。賞球数設定器８１，８２を設けることにより、賞品球数の異なる機種（パチンコ機）を制御できる。また、ＣＰＵ２００′には、賞品球排出装置２０の流下経路３０の途中に設けられた一対の排出球検出器（以下排出センサと称する）２５からの排出球検出信号が、入力されるようになっている。さらに、ＣＰＵ２００′には、図示しないパチンコ店の集中管理装置からの打止め指令信号が入力される。」（第９頁左上欄第７行〜右上欄第６行）、
　「ＣＰＵ２００′の主たる処理は、オーバーフロー処理，タンク処理，球抜き処理，入賞球検出処理，賞品球排出処理である。」（第９頁左下欄第１５〜１７行）、
　「タンク処理は、貯留タンク２が空になって玉不足検出器９３がオフされたことを検知すると、例えば、球の補給要求を集中管理室に送ると共に完了ランプ１１２を点灯させ、これと同時にもしくはその後賞品球排出装置２０内の排出センサ２５の信号に基づいて玉無し状態を検知すると、打球発射装置１０３を停止させる。」（第９頁右下欄第１２〜１８行）、
　「第１２図（Ｂ）に示す賞球数設定処理手順は、遊技盤上の各種入賞装置等による遊技動作を制御する遊技内容制御装置２１０からＣＰＵ２００′に対して、賞球数を示す信号を入力して賞球数を制御するようにした場合のフローの一例を示す。つまり、このフローは、遊技盤および遊技内容制御装置２１０の交換によって、一回に排出すべき賞品球の数が変更されることがあり、その場合には遊技内容制御装置２１０内のＲＯＭ等に賞球数に関する情報を入れておくことがあるので、その情報を利用することにより、賞球数設定器８１，８２を省略できるようにしたものである。」（第１１頁左上欄第１８行〜右上欄第９行）。
　ii．第２引用例における前記摘示の記載及び図面第１、２、９図によれば、第２引用例には、以下の発明（以下、「引用発明」という。）が記載されているものと認められる。
　「パチンコ遊技機本体から遊技盤を取外し自由にしてなるパチンコ遊技機にあって、前記遊技盤の背面に遊技動作を制御する遊技内容制御装置２１０を備え、該遊技内容制御装置２１０とパチンコ遊技機全体の電気的な制御を行なう制御装置２００とを接続する一方、前記制御装置２００と集中管理装置とを接続してなるパチンコ遊技機。」
　　　　　　　
　（２）第５引用例〔実願平１−７５９６６号（実開平３−１５５９３号）のマイクロフィルム〕に記載の発明
　「ところで、近年のパチンコ機においては、その遊技内容が複雑化するにつれて、あるいは各種の不正遊技に対応して、いろいろな情報を管理コンピュータとパチンコ機との間で交換する必要が生じたり、あるいは、遊技盤を除くパチンコ機本体に恒久的に使用される電気的機器を制御するための制御回路等を設ける必要が生じてきたが、これに対応するために、それぞれの情報を入出力する端子や制御回路をパチンコ機に分散して設けていた。ところが、分散して設けた場合には、遊技盤を交換した際に、それぞれ必要な配線を接続する作業に手間取るため、上記した端子や制御回路を一ケ所に集めて設ける傾向にある。そして、一ケ所に集める場所として機構板の上部一側に設けられるターミナル基板ボックスが使用される場合が多いが、このようにターミナル基板ボックスに端子、あるいは制御回路を集約化させることは、必然的にターミナル基板ボックスの大型化を促進することになる。」（明細書第２頁第１４行〜第３頁第１２行）、
　「また、前記遊技盤１０の裏面に取着される入賞球集合カバー板の裏面には、前記組合せ表示装置１３及び変動入賞装置１４の遊技動作を制御する制御基板を収納する制御基板ケース４２が取付けられている。この制御基板ケース４２内に設けられる制御基板も電源を供給してもらうために前記ターミナル基板５１と接続されている。ところで、機構板２１の上部であって、前記賞球タンク２３の側方には、この実施例の要部であるターミナル基板ボックス５０が取着されている。このターミナル基板ボックス５０は、前記したように前面枠２及び機構板２１等に設けられる電気的機器を相互に関連付けたり、あるいはそれら電気的機器と外部（例えば、管理コンピュータ）とを接続するための端子が設けられるターミナル基板５１が収納されている。ターミナル基板５１の具体的な回路構成は、第６図に示すブロック図の通りである。簡単に説明すると、ターミナル基板５１には、前記金枠防犯スイッチ６及び金枠防犯ランプ２０の動作を制御する防犯制御回路、前記獲得スイッチ３１ａ，３１ｂの作動に関連して獲得ランプ１７ａ，１７ｂの動作を制御するランプ制御回路、該ランプ制御回路の動作信号を受けて外部に獲得情報を導出する情報制御回路、及び前記ランプ制御回路や獲得ランプ１７ａ，１７ｂ等に電源を供給する電源回路を含む制御回路５２が設けられている。また、ターミナル基板５１には、前記制御基板ケース４２に収納される制御基板に電源を供給する接続端子５３ａ、外部電源に接続するための接続端子５３ｂ、前記玉切れスイッチ２６ａ，２６ｂの玉切れ情報を導出するために管理コンピュータと接続するための接続端子５３ｃ、管理コンピュータの指令に基づいて前記発射モータ３５を強制的に停止させるために管理コンピュータと接続するための接続端子５３ｄ、前記情報制御回路によって制御された獲得玉に関する情報を管理コンピュータに導出するために管理コンピュータと接続するための接続端子５３ｅ，７個用の獲得ランプ１７ｂに接続するための接続端子５３ｆ、前記玉切れスイッチ２６ａ〜２６ｃを接続するための接続端子５３ｇ、前記入出力中継基板４１からの配線を接続する接続端子５３ｈ、前記玉切れランプ１６を接続するための接続端子５３ｉ、及び１３個用の獲得ランプ１７ａを接続するための接続端子５３ｊがそれぞれ設けられている。」（明細書第１３頁第１１行〜第１５頁第１６行）。
　　　　　　　
　（３）第６引用例〔特開昭６３−１６８１９４号公報〕に記載の発明
　「パチンコ機には少くとも入賞球があったことを検出する入賞球検出器と、賞球排出装置の上タンク内の予備球の残量を検出する完了検出器と、特別遊技態様が発生したことを検出する特別遊技態様検出部とを設け、パチンコ機裏側上部一側には、上記各検出手段からの信号をパチンコ機外部へ出力するための接続端子が集約的に設けられてなる入出力装置を設け、上記入賞球検出器、完了検出器、特別遊技態様検出部からの信号線の一端を上記入出力装置へ集合させて接続したことを特徴とするパチンコ機の入出力装置。」（第１頁左下欄第５〜１５行）、
　「この発明は、遊技機の信号の入出力装置に関し、例えばパチンコ遊技店において各遊技機と集中管理室のコンピュータとの間で信号を送受信可能なシステムを構成する場合に利用して効果的な技術に関する。」(第１頁右下欄第４〜８行)、
　「その実施例の入出力装置１０は、基板１１と、この基板１１上に固定された４個の受側コネクタ１２，１３，１４，１５と、電源用フィーダコンセント１６と、ブレーカ間とからなり、基板１１によってパチンコ機１の裏面、右上隅に固定されている。・・・上記受側コネクタ１２〜１５のうち、コネクタ１２は入賞球検出信号の出力用、コネクタ１３は完了検出信号の出力用、また、コネクタ１４は特別遊技態様検出信号の出力用の接続端子とされる。」（第２頁右下欄第９行〜第３頁左上欄第３行）、
　「また、上記コネクタ１４には、特別遊技態様発生時に遊技制御基盤２から出力される特別遊技態様検出信号を伝える信号線Ｌ３の一端が接続されている。なお、この信号線は中継基盤３を介して入出力装置１０へ接続されるようになっている。」（第３頁左上欄第１３〜１７行）、
　「第３図の回路からも明らかなように、打球発射系および賞球排出系と、遊技盤における遊技の制御系（破線Ａで示す）とが電気的に完全に分離されているため、パチンコ機の交換に際して遊技盤のみ取り換え、他の部分は元の機械をそのまま使うということが可能となる。」(第４頁左下欄第２０行〜右下欄第５行)、
　「この実施例では、各パチンコ機１の上方の上記フリッカランプ２１０に隣接して前記特別遊技態様の発生回数等を表示可能な大当り回数表示装置２３０を設けてある。そして、各パチンコ機１の制御回路は、前記入出力装置１０を介して上記フリッカランプ２１０や警報ランプ２２０、大当り回数表示装置２３０に接続されている。また、島設備２００の上部には、各パチンコ機に共通の信号線群（以下、バスと称する）が配設され、このバスを介して各パチンコ機１は集中管理室の管理装置２４０に接続される。なお、管理装置と各パチンコ機との間の信号の入出力を可能にするため、インタフェース装置２５０が各パチンコ機ごとに設けられている。第１図の実施例のパチンコ機には、その裏面上部に上記フリッカランプ２１０や大当り回数表示装置２３０およびインタフェース装置２５０との間の信号線や給電線の接続を行なうためのコネクタ１２〜１５等が集約的に設けられているため、それらの接続作業が極めて簡単に行なえるようになり、パチンコ機の設置の際のパチンコ店の負担が軽減される。また、パチンコ機背部の配線もすっきりするため、修理、点検作業も容易となる。第８図に、本発明に係る入出力装置１０を備えたパチンコ機１と管理装置２４０、フリッカランプ２１０、警報ランプ２２０および大当り回数表示装置２３０とを用いたパチンコ店全体のシステム構成の一例を示す。」（第５頁左下欄第８行〜右下欄第１５行）、
　「第１７図に、本発明に係る入出力装置１０を備えたパチンコ機を用いた遊技店のシステム構成の他の実施例を示す。この実施例では、各パチンコ機１と管理装置２４０とを結ぶバス２６０に新たに３本の信号線ｌ２１，ｌ２２，ｌ２３を追加し、パチンコ機の側からインタフェース装置２５０を介して信号線ｌ２１に大当り信号を出して管理装置２４０へ知らせる」(第１１頁左上欄第２〜９行)。
　　　
　（４）第７引用例〔特開昭６３−２８３６７０号公報〕に記載の発明
　「パチンコ機の裏面の一隅に端子板ボックスを設け、該端子板ボックス内にはパチンコ機に配設した電気的部材とパチンコ機の外部に設けた外部処理装置とを接続するための端子板を収設し、該端子板には入出力のための接続端子を設け、上記電気的部材と外部処理装置とを電気的に連絡する配線を上記接続端子を介して接続すると共に、上記端子板には電気信号の不可逆性処理手段を設けて、所定の方向以外に流れる電気信号を遮断するようにしたことを特徴とするパチンコ機の配線処理装置。」（第１頁左下欄第５〜１５行）、
　「パチンコ機１の裏面には第１図に示すように、球貯留部２、打球発射装置３、賞球装置４、球寄部５、スピーカ６などが設けてあり、またパチンコ機の前面には入賞装置や表示装置などが設けてある。そして、上記各装置にはスイッチやランプなどの電気的部材を有している。また、パチンコ機１の裏面には制御装置７を設けてセンター役物などを制御する。尚、上記制御装置７は電気的部材の一例である。本発明に係る配線処理装置８は、パチンコ機１に配設した電気的部材とパチンコ店の中央管理室に設置したホストコンピュータなどの外部処理装置とを電気的に連絡する配線を接続するためのものでる。配線処理装置８は、端子板ボックス９内に接続端子１０を有する端子板１１を収設してなり、該配線処理装置８をパチンコ機１の裏面の一隅に設ける。尚、配線処理装置８を裏板１２の支持側上部に設ければ、前面枠などを開閉する際に必要なケーブルの遊びの点で有利である。端子板ボックス９は第２図ないし第４図に示すように底部１３を有して前面開放の箱状であって、底部１３には支持部１４が突設してある。また、側板部１５には切込部１６が設けてある。上記のような端子板ボックス９に収設する端子板１１は、図示の実施例によれば、３枚の端子板１１Ａ、１１Ｂ、１１Ｃからなる。第１の端子板１１Ａは、打球の発射に関連する電気的部材を接続するもので、この第１の端子板１１Ａには、所定の方向以外に流れる電気信号を遮断する不可逆性処理手段１７として制御リレー１８を設ける。」（第２頁右上欄第８行〜左下欄第１９行）、
　「第２の端子板１１Ｂには大当り信号に関する電気的部材を接続する。この第２の端子板１１Ｂには、電気的部材としての制御装置７と外部処理装置とを接続するための接続端子１０ｄを有し、この接続端子１０ｄからはケーブル３０により制御装置７に設けた不可逆性処理手段１７にコネクタ３１を介して接続する。」（第３頁右上欄第１６行〜左下欄第２行）。
　　　
　（５）第８引用例〔特開昭６４−５５８０号公報〕に記載の発明
　「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記各制御回路間を中継線及びコネクタを介して電気的に連絡したことを特徴とするパチンコ機。」（第１頁左下欄第５〜１２行）、
　「パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、ケース基板２４の上方には打止め装置と表示装置の制御回路に連絡する端子板２５が設けられ、ケース基板２４の下方には防犯装置の制御回路を有する防犯基板２６が設けられ、防犯基板２６の側部には発射装置の制御回路を有するモータ基板２７が設けられ、これらの制御回路間が中継線及びコネクタを介して電気的に連絡されている。」（第３頁左上欄第１５行〜右上欄第６行）、
　「そして、電役基板２３にはケース基板２４が図示しないコネクタを介して中継線２８により電気的に連絡され、ケース基板２４には賞品球切れ検出スイッチＳＷ８，球切れスイッチＳＷ９，端子板２５，球切りモーターＭ１及び防犯基板２６が図示しないコネクタを介して中継線２９によりそれぞれ電気的に連絡され、」（第３頁左下欄第３〜９行）、
　「ケース基板２４にはセーフ球発生信号により遊技者に一定数のパチンコ球を賞品球として供給するための賞球排出装置の制御回路が設けられている。」（第３頁右下欄第２〜５行）、
　「第３図は本発明の第１実施例の電気回路図を示し、２３は電役基板、２４はケース基板、２５Ａは第１端子板、２５Ｂは第２端子板、２６は防犯基板、２７はモーター基板である。第１端子板２５Ａには賞品球切れ検出スイッチＳＷ８と賞球ケース連動スイッチＳＷ１０とが設けられ、第１端子板２５ＡのコネクタＡ１にはヒューズ３５を有するＡＣ２４Ｖ電源への差込みプラグ３６が中継線となる２本のコードＣＤにより接続され、第１端子板２５ＡのコネクタＡ２と電役基板２３のコネクタＢ１とが２本のコードＣＤにより接続され、第１端子板２５ＡのコネクタＡ３とコネクタＡ１及びＡ２が２本のコードＣＤによりそれぞれ接続され、第１端子板２５ＡのコネクタＡ４がコネクタＣ１を介して外部のＡＣ８Ｖ電源に３本のコードＣＤにより接続されている。３７はヒューズである。」（第４頁左上欄第１０行〜右上欄第６行）、
　「遊技盤５に設けた特定の入賞装置に遊技球が入賞すると、電役基板２３のコネクタＢ４から第２端子板２５ＢのコネクタＧ１を介して第２端子板２５ＢのコネクタＧ２より表示信号が出力され、ＧＯフリッカー表示灯Ｌ６を点灯して遊技中の特定の入賞状態を表示し、第２端子板２５ＢのコネクタＧ３より外部へ大当り信号を出力する。」（第５頁右下欄第１９行〜第６頁左上欄第５行）、
　「第４図は本発明の第２実施例を示すものであり、パチンコ遊技機１の裏面には賞球タンク２０の側部に第１端子板４０が設けられ、タンクレール２１の下部には第２端子板４１が設けられ」（第７頁左上欄第６〜９行）、
　「第５図は第２実施例の電気回路図を示し、４０は第１端子板、４１は第２端子板・・・第１端子板４０のコネクタＩ１にはコネクタＪ１を介してヒューズ４６を有するＡＣ２４Ｖ電源への差込みプラグ４７が中継線となる２本のコードＣＤにより接続され、第１端子板４０のコネクタＩ１と制御基板４４のコネクタＫ１とが２本のコードＣＤにより接続され、第１端子板４０のコネクタＩ２が予備端子に連絡され、第１端子板４０のコネクタＩ３が賞品球切れ出力に連絡され、第１端子板４０のコネクタＩ４が発射装置の制御入力に連絡されている。」（第７頁左上欄第１９行〜右上欄第１８行）、
　「賞品球の払出し時には第１端子板４０のコネクタＩ５より入賞球払出しの表示信号が出て、賞品球払出表示灯Ｌ１３が点灯し、タンクレール２１の賞品球が不足すると、第１端子板４０に設けた賞品球切れ検出スイッチＳＷ１５がＯＮとなり、第１端子板４０のコネクタＩ５より賞品球切れ表示信号が出て、補給信号の出力が行なわれ、賞品球切れ表示灯Ｌ１２が点灯する。また、賞品球切れ出力は第１端子板４０のコネクタＩ３より外部に出力される。遊技盤５に設けた特定の入賞装置に遊技球が入賞すると、制御基板４４のコネクタＫ２，中継基板４５のコネクタＱ１，Ｑ２を経て第２端子板４１のコネクタＴ２より表示信号を出力し、特定状態表示灯Ｌ１０Ａ，Ｌ１０Ｂを点灯し、遊技中の特定状態を表示し、中継基板４１のコネクタＴ１より外部に特定状態信号を出力する。」（第８頁右上欄第４〜２０行）、
　「本発明のパチンコ機によれば、・・・各制御基板が裏面に取付けられる各部品や装置の邪魔とならず、各制御基板を各装置の最適な位置に配置することができ、無駄なスペースを取らず、制御素子が故障しても制御基板全体を修理する必要がなく、制御基板の交換や修理も容易に行なうことができ、電気的干渉による誤動作や故障を防止することができる。」（同第９頁右上欄第７〜２０行）。
　　　　　　
４．本件発明と引用発明との対比検討
　（１）本件発明と引用発明との対比
　本件発明と引用発明とを対比すると、引用発明における、「遊技動作を制御する遊技内容制御装置２１０」、「パチンコ遊技機全体の電気的な制御を行なう制御装置２００」、「集中管理装置」、「パチンコ遊技機」は、それぞれ、本件発明における、「遊技制御回路」、「本体制御回路」、「管理コンピュータ」、「パチンコ機」に相当する。
　そうすると、本件発明と引用発明は、以下の点でそれぞれ一致ならびに相違するものと認められる。
　一致点．「パチンコ機本体から遊技板を取外し自由にしてなるパチンコ機にあって、前記遊技板の背面に遊技制御回路を備え、該遊技制御回路と本体制御回路とを接続する一方、前記本体制御回路と管理コンピュータとを接続してなるパチンコ機。」
　相違点Ａ．本件発明は、遊技制御回路と本体制御回路とを前枠背面側の外部中継端子基板を介して接続する構成であるのに対して、引用発明は、遊技制御回路と本体制御回路とを接続する構成にとどまる点。
　相違点Ｂ．本件発明は、外部中継端子基板を介して遊技制御回路及び本体制御回路と管理コンピュータとを接続してなる構成であるのに対して、引用発明は、本体制御回路と管理コンピュータとを接続する構成にとどまる点。
　　　　
　（２）相違点の検討
　i．相違点Ａについて
　第５引用例〔実願平１−７５９６６号（実開平３−１５５９３号）のマイクロフィルム〕には、パチンコ機に配設される各種電気的機器の間や、あるいは前記各種電気的機器と管理コンピュータとの間で情報を入出力するための端子について、これを前枠背面側のターミナル基板に集約することで配線を接続する作業の効率化を図るようにした周知の技術思想が記載されており、該「ターミナル基板」は、本件発明における「外部中継端子基板」に相当する。
　そうすると、引用発明に示される遊技制御回路と本体制御回路とを接続するときの接続手段について、前記第５引用例に示される周知の技術思想に基づいて相違点Ａにかかる本件発明の構成のようにすることは、当業者が容易に想到できるものである。
　ii．相違点Ｂについて
　パチンコ機の技術分野において、前枠背面側の外部中継端子基板を介して遊技制御回路と管理コンピュータとを接続することで大当たり情報等の遊技情報を送信するようにしたパチンコ機は、周知技術（例えば、第６引用例〔特開昭６３−１６８１９４号公報〕、第７引用例〔特開昭６３−２８３６７０号公報〕、第８引用例〔特開昭６４−５５８０号公報〕）である。
　また、引用発明を認定した第２引用例には、パチンコ機が具備する各種変動入賞装置や可変表示型補助遊技装置等に大当たりが発生したときに遊技内容制御装置２１０（遊技制御回路）から前記大当たりが発生した旨の信号を集中管理装置（管理コンピュータ）に送信する旨の明示的記載がないが、大当たり情報等の遊技情報を管理コンピュータに送信することは、前記周知技術に示されるようにパチンコ機の技術分野において不可欠の常套手段であるから、引用発明においても、該常套手段を備えていることが当然想定されるものである。
　そうすると、引用発明に示される遊技制御回路において、前記周知技術を採用して相違点Ｂにかかる本件発明の構成のようにすることは、当業者が容易に想到できるものである。
　iii．作用効果について
　本件発明に係る作用効果は、引用発明と前記周知技術とに基づいて、当業者が当然予測できるものである。
　　　　
　（３）まとめ
　よって、本件発明は、第２引用例に記載の発明（引用発明）及び前記周知技術に基づいて当業者が容易に発明をすることができたものであるから、特許法第２９条第２項の規定により特許を受けることができない。
　　　　　　　　　
５．むすび
　以上のとおりであるから、本件請求項１に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月２７日（２００３．１．２７）
【訂正の要旨】
▲１▼　特許請求の範囲の請求項１を、
　「【請求項１】　パチンコ機本体から遊技板を取外し自由にしてなるパチンコ機にあって、
前記遊技板の背面に遊技制御回路を備え、該
ピ
　と訂正する。
（５４）【発明の名称】
パチンコ機
（５７）【特許請求の範囲】
　【請求項１】　パチンコ機本体から遊技板を取外し自由にしてなるパチンコ機にあって、
前記遊技板の背面に遊技制御回路を備え、該
ピ
【発明の詳細な説明】
　【０００１】
　【発明の属する技術分野】
　本発明は、パチンコ機本体から遊技板を取外し自由にした所謂分離式パチンコ機において、機構部品類と遊技部品類を制御する各制御回路、並びにこれらと管理コンピュータとの接続に関するものである。
　【０００２】
　【従来の技術】
　近時のパチンコ機は入賞装置を始めとする遊技部品類、セーフ球の検出、賞球の放出、貯留賞球の残量検出等を行う機構部品類の殆どが電気的に制御されており、このためパチンコ機には装置を駆動し、表示ランプを点燈するための電源コードの外、多くの制御回路用のコードが複雑に配線されている。
　従来、これらのコードは装置の設置位置、規模等に従って個別に配線されているが、パチンコ機の管理、遊技の設定が自動化するのに伴ってその数は増加するばかりであり、パチンコ機の背面部には極めて多数のコードが雑然と配線されるに至っている。
　【０００３】
　【発明が解決しようとする課題】
　本発明は、このように多数のコード類が配線されていることによって生ずる不具合と、配線処理作業の煩雑さに鑑み、これを改善する目的で発明されたもので、特に本発明は従来個々の装置に対して個別にコードを接続することによって生ずる配線の混乱と、接続作業の煩雑さを解消し、パチンコ機の製造性の向上を図ると共に、保守管理の迅速性更には遊技板の交換作業の迅速性、安全性を確保し、更には後からの追加装置の接続によって不正が行われる等の問題を未然に解消すべく開発発明されたものである。
　【０００４】
　【課題を解決するための手段】
　前述した様に、パチンコ機には打球発射装置や賞球放出装置、入賞装置の駆動力として、また表示ランプの点燈、ブザーの発音のため電源コードが引き込まれ各部に配線される。その一方、入賞装置の遊技設定のため、或いはセーフ球検出、賞球供給数検出、賞球放出数検出等の諸種検出スイッチの検出信号制御のため制御用回路のコードが多数配線される。
　【０００５】
　これらのコード類は大別してパチンコ機本体関係のコードと、遊技関係のコードに二分することができる。本発明はこのことに注目してパチンコ機本体関係のコードと遊技関係のコードを区分し、各個別に取り纏めると共に、パチンコ機本体に外部中継基板を設備して電源を接続する一方、ホール備え付けの管理コンピューターとを接続し、該外部中継基板において前記２系統のコードに振り分け接続すると共に、遊技板の背面には遊技制御回路専用の接続コネクター端子を設備して上記外部中継基板の専用コネクター端子と接続するようにしたことにある。
　【０００６】
　即ち、この発明を詳述すると、遊技制御回路と本体制御回路とを前枠側に設備する中継基板を介して接続する一方、該中継基板を介して前記遊技制御回路及び本体制御回路と管理コンピュータとを接続してなるパチンコ機を提供することにある。
　【０００７】
　また、本発明は前記本体制御回路は遊技制御回路から発信される賞球払い出しの賞球信号及びパチンコ機本体に備える表示灯に大当り時の点灯制御信号を前記中継基板を介して受信し、また前記管理コンピュータからの打球の発射を停止せしめる打止め信号を前記中継基板を介して前記本体制御回路に送信するようにしたパチンコ機を提供することにある。
　【０００８】
　また更に、本発明は前記遊技制御回路からの出力信号のうち大当り信号等本体制御に関係しない信号を前記中継基板外に独立して設ける接続コネクター端子を介して管理コンピュータに送信するようにしたパチンコ機を提供することにある。次に、この発明を図面に示す実施例について詳述する。
　【０００９】
　【実施の態様】
　【実施例】
　図１は本発明の使用状態を示す正面図であり、図２は機構枠体を開放した使用状態の正面図、図３は一部欠截した要部の拡大正面図、図４は一部断面とした一部欠截せる要部の拡大平面図、図５は一部断面とした要部の拡大右側面図である。
　【００１０】
　図面において、１は図示しない機構枠体に対して一側縁を蝶着し開閉自由に取付けられる額縁形をなす前枠で、２は前枠の背面に窓３の背後を塞ぐように取付けられる金属板製の機構板であり、４はこの機構板の一側縁に蝶番５を介して開閉自由に蝶着した機構枠体、６は機構枠体の一側縁に一体に連設し、前記機構板の背面を被うと共に該機構板２の内部に収められその窓７を通して臨む遊技板８の背面を囲み、ここにセーフ球の球寄せ室９を形成するカバーである。
　【００１１】
　１０は賞球を貯留するタンク、１１はタンク１０から前記機構枠体４の内部に設けられる賞球装置１２に賞球を誘導する誘導樋、１３は機構枠体４，カバー６の上方の機構板２の背面に固定され、上記貯留タンク１０，誘導樋１１を取付ける一方、本発明に係る中継基板たる外部中継端子基板１４を装着する取付部１５を設ける取付基板である。
　【００１２】
　機構板２は浅い筐形に形成してあり、前枠１の窓３を通して前方から遊技板８を受入れ図示しないクリップによって底に当たる板部に遊技板を密着した状態に固定するようになっている。尚、図示していないが上記窓３にはガラスを嵌め付けた金枠が装着され上記遊技板の前面を被うことになる。
　【００１３】
　遊技板８は前記クリップの着脱操作によって機構板から自由に着脱できるものにしてあり、周知の様にその前面には各種の入賞装置と打球誘導レール、表示ランプ等が設備される。
　【００１４】
　図中、１６は遊技板中央部に開設する取付孔に装着した大入賞装置であり、１７はその他の入賞装置相互を連絡するため遊技板の背面に設けたセーフ球誘導路、１８は入賞球の飛入やゲームの成立を表示する表示ランプであり、１９はこれら入賞装置、表示ランプの点燈を制御する遊技制御回路であり、これを収めるボックスであり、２０はこの遊技制御回路ボックス内の配線基板に接続される電源用、信号用のコード束であり、２１はこれらコードの端部を集束し遊技板背面の上部隅部に固定した上記遊技制御回路１９の接続コネクター端子である。
　【００１５】
　遊技制御回路ボックス１９は遊技板８の背面に取付台を介して一体に固定し、遊技板に組込まれる各入賞装置からの信号を処理しゲームの進行並びに情報を後述する連絡手段を介してホール備え付けの管理コンピューターに送信することになる。
　【００１６】
　前記機構枠体４は主として前記賞球装置１２を内蔵すると共に、セーフ球の検出器等を備えるもので、ここには賞球装置やセーフ球検出装置等を作動させるソレノイドの電源コードやセーフ球を検出するスイッチ、賞球装置を通過した賞球の計数用の検出スイッチ、賞球樋に設けた検出スイッチ、アウト球の検出スイッチ、受皿への賞球のあふれを検出するオーバーフロー検出スイッチ等のスイッチ用の信号コード等のコード２２が多数本配線され、これらコードの端部は機構枠体の開閉自由端縁に設けられる接続コネクター２３ａに接続される。
　【００１７】
　２４は前記機構板２の背面左下隅部に固定したパチンコ機本体の制御回路ボックスである。このボックスには一側部に雄形をなす前記接続コネクター２３ａに接続する雌形の接続コネクター２３ｂが一体に設けてあり、蝶番５を支点に前記機構枠体４を閉じたとき、両接続コネクター２３ａ，２３ｂを接合して前記コード２２と当該制御回路ボックス２４とを同時に接続できるようにしてある。
　【００１８】
　上記本体制御回路ボックス２４は機構枠体４内に装備される諸装置と接続する一方、打球発射装置への電源コード２５を引き出す。そして、このボックスから引き出された電源並びに信号用のコード２６は一纏めにして機構板２の一側縁に沿ってチューブ２７に通した状態で配線され、前記外部中継端子基板１４の基板に接続される本体制御回路コネクター端子２８に接続される。
　【００１９】
　さて、前記外部中継端子基板１４はホール備え付けの管理コンピューター（図示せず）に接続する外部情報端子コネクター２９と電源端子３０を備えると共に、過電圧防止リレー回路３１や本体制御回路及び遊技制御回路のヒューズ３２類、本体制御回路２４及び遊技制御回路１９の分電端子３３ａ、３３ｂ等が備えられと共に、前記本体制御回路コネクター端子２８と、遊技制御コネクター端子３４が一体に備えられる。
　【００２０】
　上記本体制御回路２４からはタンク１０の賞球が空になったときに検出スイッチにより出力する玉切れ信号や、ホール側で出玉を管理するためのアウト球信号、賞球信号等をコネクタ２８を介して出力し、打ち止め時には管理コンピュータから打球の発射を停止する打止め信号がコネクター２８を介して入力される。そして、球切れ信号、アウト球信号、賞球信号、打止め信号は外部情報端子コネクター２９に前記外部中継端子基板１４においてプリント配線を通して接続される。
　【００２１】
　本体制御回路コネクター端子２８と遊技制御回路コネクター端子３４とは、前記セーフ球検出装置がセーフ球を検出したときに本体制御回路２４が遊技制御回路１９にそのセーフ球に対しての賞球数を問い合わせ、その返答に対して本体制御回路２４が賞球の放出をなさしめる如く相互を連絡するため外部中継端子基板１４においてプリント配線を通して接続される。
　【００２２】
　そして、これら両コネクター端子２８，３４は上記入賞装置を作動させるための始動入賞口へ入賞した始動入賞信号や、入賞球が入賞装置の特別入賞口へ入賞して大当たりのゲームが成立した場合の大当たり信号等を、前記管理コンピューターに記録するため前記外部情報端子コネクター２９とも接続され、また本体に付設されるスピーカーや、大当たりランプに対し、入賞球の入賞時の効果音や、大当たりゲーム時のランプ点燈の制御信号もこのプリント配線を通して接続される。
　【００２３】
　また、前記遊技制御回路コネクター端子３４は前記遊技板８の背面上部に設けられる接続ネクター端子２１と接続コード３５の雄形接続コネクター端子３６を介して着脱自由に接続される。
　【００２４】
　ところで、前述外部中継端子基板１４を収める取付基板１３は合成樹脂を素材にして横長の薄い箱形に形成してあり、前記機構板２の背面上部に固着されるようにしてある。そして、その右端に隣合わせに２つの窓を開設し、一方の窓を装着部１５とし、他方の窓を透孔のまゝにして前記遊技板８に設ける接続コネクター端子２１を臨ませる窓３７としている。
　【００２５】
　前記装着部１５は内周縁に図示しない係止爪を備え、板状の外部中継端子基板１４を嵌め入れたときこの爪で縁部を係止し止着できるようにしてある。
　尚、窓３７は遊技板８の背面上部右隅部に対応しており、この位置に設けられる接続コネクター端子２１を遊技板８の装着と同時に機構板２の前方から臨ませてこの窓３７を通して後方に突き出すようにしてある。
　【００２６】
　本発明パチンコ機は上述の様に構成されるもので、前枠１には機構板２が固着され、機構板２の背面上部には取付基板１３が固着されてこれに設ける装着部１５に外部中継端子基板１４が装着される。そして、上記機構板２の背面左下部には本体制御回路ボックス２４が装備され、この回路ボックス２４と外部中継端子基板１４の本体制御回路コネクター端子２８とがコード２６を介して予め接続され、パチンコ機本体を構成することになる。
　【００２７】
　その一方、本体から分離される遊技板８には入賞装置等所定の部品が組付けられると共に、背面には該入賞装置類を制御する遊技制御回路ボックス１９が固定され、また、背面右上部には該制御回路から引き出されたコード２０の端子に接続する接続コネクター端子２１が固定される。
　【００２８】
　この様に構成された遊技板８は、前記パチンコ機本体に対して前枠２の窓３を通して機構板２の内部に挿入され、その底部の窓７を通して背面を後方に臨ませた状態でクリップの締付けで装着される。そして、この遊技板の装着の際、背面の接続コネクター端子２１が窓３７を通して外部中継端子基板１４の隣に臨むことになり、この基板の遊技制御回路コネクター端子３４から引き出された接続コネクター端子３６を着脱自由に接合して前記遊技制御回路ボックス１９と本体制御回路ボックス２４とが接続し、更にこれらと管理コンピューターとが接続されることになる。
　【００２９】
　尚、実施例においては、管理コンピーターに、外部情報端子コネクター２９から遊技制御回路１９及び本体制御回路２４の各種信号をからめて入、出力を行なうものとしているが、遊技制御回路１９からの各種信号で前述した始動入賞信号や大当たり信号等ゲームに係る各種信号（本体制御に関しない信号）を外部情報端子コネクター２９を介さずに独立した別のコネクター端子を窓３７にのぞませるように別に設けて管理コンピューターに直接出力しても良いことはここに言うまでもないことである。
　【００３０】
　つまり、本体制御回路２４と遊技制御回路１９を接続するための端子コネクターと、本体制御に関係しない遊技板からの信号を出力する端子コネクターとを別々に設けることである。
　又、遊技制御回路への電源端子コネクターを窓３７に臨ませて前述した分電端子３３ｂと接続しても良いことも同様である。
　なお又、不正防止としてパチンコ機本体に設置される磁気検出回路及び金枠開放検出回路と接続する磁気不正防止回路コネクター端子Ａ及び金枠開放検出回路コネクター端子Ｂを外部中継端子基板１４に設けて外部情報端子コネクター２９にプリント配線を通して接続しても良い。
　【００３１】
　【発明の効果】
　以上、本発明を図示の実施例に基づき詳述したが、前記構成から明らかなように本発明パチンコ機は前枠１、機構板２、そして機構枠を中心としたパチンコ機本体に本体制御回路ボックス２４を設備し、これから分離される遊技板８に遊技制御回路ボックス１９を設備することによって、遊技板交換時にはこの遊技板と共に遊技に関係する遊技制御回路のみを変換し、他の本体制御回路はそのまゝ継続して使用することができることからコスト的に有利であると共に、不要な部品の組み換えを要せず、且つ各部品のコネクター端子の個々の接続作業を省くことができることから作業性の面で有利である。
　【００３２】
　そして、本発明パチンコ機は本体制御回路と遊技制御回路を分割することに併せて各回路に接続するコードを個別に集束する一方、遊技制御回路に接続するコードは接続コネクター端子に纏めて予じめ遊技板の背面に固定し、他方本体側に備える外部中継端子基板に遊技制御回路コネクター端子と本体制御回路コネクター端子を備えて上記遊技制御回路コネクター端子と前記接続コネクター端子を接続することによって多数の制御回路の結線を果すことができることから作業性に優れると共に、予じめ接続コネクター端子に多数のコードが纏められ固定されていることから接続の誤りを未然に防止することができる。
　【００３３】
　また本発明は、前記各コード相互の接続をコネクター端子同志の接合によって行うことから接続の誤りを未然に回避できると共に、他の異なるコードとの接続を不能にすることから不正行為の装置類の接続を阻止しその予防に有効に作用することになる。
　【００３４】
　また本発明は上記に加えて前記中継基板を介して管理コンピュータの接続が行えることからパチンコ機の情報をホール側において容易に入手できると共に、管理コンピュータ側からの制御信号を本体制御回路へ、また遊技制御回路側からの信号を管理コンヒュータに送信し制御することができる利点がある。
　【００３５】
　勿論、本発明においては、特に遊技板の背面に配線される多数のコードが一纏めとなって固定の接続コネクター端子に接続されていることから遊技板を本体に装着する際に機構板との間に挟んだり、他の部品類に引っ掛ける等の危険がなく、従ってコネクタ端子の接続不良やコードの断線を未然に防止することができる利点があることは言うまでもない。
【図面の簡単な説明】
　【図１】
　使用状態を説明する正面図。
　【図２】
　機構枠体を開放した使用状態を説明する正面図。
　【図３】
　一部欠截した要部の拡大正面図。
　【図４】
　一部断面とした一部欠截の要部の拡大平面図。
　【図５】
　一部断面とした要部の拡大右側面図。
　【符号の説明】
　１　　　　　前枠
　２　　　　　機構板
　４　　　　　機構枠体
　１３　　　　取付基板
　１４　　　　中継端子
　１５　　　　装着部
　１９　　　　遊技制御回路
　２１　　　　接続コネクター端子
　２４　　　　本体制御回路
　２８　　　　本体制御回路コネクター端子
　２９　　　　外部情報端子
　３４　　　　遊技制御回路コネクター端子
　３６　　　　接続コネクター端子
　３７　　　　窓